【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
複数の行および複数の列を構成するように配列された複数の画素と、
前記複数の行の１つに対して１つの制御線群が接続されるように、前記複数の行にそれぞれ割り当てられた複数の制御線群と、
前記複数の制御線群を駆動する行駆動回路と、
補助回路と、を備え、
前記複数の制御線群の各々は、第１制御線および第２制御線を含み、
前記行駆動回路は、前記複数の制御線群のうち対応する制御線群の前記第１制御線の一端に接続された第１駆動回路と、前記対応する制御線群の前記第２制御線の一端に接続された第２駆動回路と、を含み、
前記補助回路は、複数の補助駆動回路を含み、前記複数の補助駆動回路の各々は、前記第２制御線に供給される制御信号に従って前記第１制御線を駆動するように前記複数の制御線群のうち対応する制御線群の前記第１制御線の他端に接続され、前記複数の補助駆動回路の各々は、前記第２駆動回路によって前記対応する第２制御線に供給される制御信号、および、前記制御信号とは異なり、前記対応する第１制御線の信号とは異なる第２信号に従って、前記対応する第１制御線を駆動し、前記第２信号は、前記補助駆動回路が前記対応する第１制御線を所定電圧に向かって駆動する期間を規定する、
ことを特徴とする撮像装置。
【請求項２】
前記補助駆動回路は、前記第１駆動回路が前記第１制御線を第１電圧から第２電圧に駆動するときに、前記第１制御線を前記第１電圧から前記第２電圧に駆動する、
ことを特徴とする請求項１に記載の撮像装置。
【請求項３】
前記補助駆動回路は、前記第１制御線の他端と前記第２電圧を供給するノードとの間に接続されたトランジスタを含み、
前記補助駆動回路は、前記トランジスタをオンすることにより、前記第１制御線を駆動する、
ことを特徴とする請求項２に記載の撮像装置。
【請求項４】
時間幅信号が前記行駆動回路および前記補助回路に供給される、
ことを特徴とする請求項１乃至３のいずれか１項に記載の撮像装置。
【請求項５】
前記第１駆動回路は、第１期間を規定する第１パルス信号を前記第１制御線に供給し、
前記第２駆動回路は、第２期間を規定する第２パルス信号を前記制御信号として前記第２制御線に供給し、
前記第１期間の全体が前記第２期間に属する、
ことを請求項４に記載の撮像装置。
【請求項６】
前記時間幅信号は、第３期間を規定する第３パルス信号である、
前記第３期間の全体が前記第２期間に属する、
ことを特徴とする請求項５に記載の撮像装置。
【請求項７】
前記第３期間は、前記第１期間と等しい、
ことを特徴とする請求項６に記載の撮像装置。
【請求項８】
前記複数の画素の各々は、光電変換部と、電荷電圧変換部と、前記光電変換部で生じた電荷を前記電荷電圧変換部に転送する転送部と、前記電荷電圧変換部の電圧をリセットするリセット部とを含み、
前記第１制御線は、前記リセット部を制御するように前記リセット部に接続されている、
ことを特徴とする請求項１乃至７のいずれか１項に記載の撮像装置。
【請求項９】
前記複数の画素の各々は、選択部を更に含み、前記選択部が活性化されることによって前記複数の画素のうち前記選択部を含む画素が選択され、
前記第２制御線は、前記選択部を制御するように前記選択部に接続されている、
ことを特徴とする請求項８に記載の撮像装置。
【請求項１０】
前記電荷電圧変換部は、電荷電圧変換ノードと、前記電荷電圧変換ノードの容量を変更するためのスイッチを含み、
前記複数の制御線群の各々は、前記複数の行のうち対応する行の画素の前記スイッチを制御するための第３制御線を更に含み、
前記行駆動回路は、複数の第３駆動回路を更に含み、前記複数の第３駆動回路の各々は、前記複数の制御線群のうち対応する制御線群の前記第３制御線を駆動するように前記第３制御線の一端に接続され、
前記補助回路は、複数の第２補助駆動回路を含み、前記複数の第２補助駆動回路の各々は、前記複数の制御線群のうち対応する制御線群の前記第３制御線を駆動するように前記第３制御線の他端に接続されている、
ことを特徴とする請求項８又は９に記載の撮像装置。
【請求項１１】
前記複数の第２補助駆動回路は、前記複数の第２補助駆動回路に対して共通に生成される制御信号に応答して前記複数の制御線群のそれぞれの前記第３制御線を駆動する、
ことを特徴とする請求項１０に記載の撮像装置。
【請求項１２】
前記複数の第２補助駆動回路は、前記複数の制御線群のそれぞれの前記第３制御線が前記複数の第２補助駆動回路によって同時に駆動される期間が存在するように構成されている、
ことを特徴とする請求項１１に記載の撮像装置。
【請求項１３】
複数の行および複数の列を構成するように配列された複数の画素と、
前記複数の行の１つに対して１つの制御線群が接続されるように、前記複数の行にそれぞれ割り当てられた複数の制御線群と、
前記複数の制御線群を駆動する行駆動回路と、
補助回路と、を備え、
前記複数の画素の各々は、光電変換部と、電荷電圧変換部と、前記光電変換部で生じた電荷を前記電荷電圧変換部に転送する転送部と、前記電荷電圧変換部の電圧をリセットするリセット部とを含み、
前記電荷電圧変換部は、電荷電圧変換ノードと、前記電荷電圧変換ノードの容量を変更するためのスイッチを含み、
前記複数の制御線群の各々は、前記複数の行のち対応する行の画素の前記スイッチを制御するためのスイッチ制御線を含み、
前記行駆動回路は、複数の駆動回路を含み、前記複数の駆動回路の各々は、前記複数の制御線群のうち対応する制御線群の前記スイッチ制御線を駆動するように前記スイッチ制御線の一端に接続され、
前記補助回路は、複数の補助駆動回路を含み、前記複数の補助駆動回路の各々は、前記複数の制御線群のうち対応する制御線群の前記スイッチ制御線を駆動するように前記スイッチ制御線の他端に接続されている、
ことを特徴とする撮像装置。
【請求項１４】
前記複数の補助駆動回路の各々は、前記複数の駆動回路のうち対応する駆動回路が複数の前記制御線群のうち対応する制御線群の前記スイッチ制御線を第１電圧に駆動するときに、前記対応する制御線群の前記スイッチ制御線を前記第１電圧に駆動する、
ことを特徴とする請求項１３に記載の撮像装置。
【請求項１５】
前記複数の補助駆動回路の各々は、前記対応する制御線群の前記スイッチ制御線の他端と前記第１電圧を供給するノードとの間に接続されたトランジスタを含み、前記トランジスタがオンされることにより、前記対応する制御線が駆動される、
ことを特徴とする請求項１４に記載の撮像装置。
【請求項１６】
前記複数の補助駆動回路は、前記複数の補助駆動回路に対して共通に生成される制御信号に応答して前記複数の制御線群のそれぞれの前記スイッチ制御線を駆動する、
ことを特徴とする請求項１３乃至１５のいずれか１項に記載の撮像装置。
【請求項１７】
前記複数の補助駆動回路は、前記複数の制御線群のそれぞれの前記スイッチ制御線が前記複数の補助駆動回路によって同時に駆動される期間が存在するように構成されている、
ことを特徴とする請求項１６に記載の撮像装置。
【請求項１８】
前記複数の画素は、前記第１駆動回路および前記第２駆動回路を含む行駆動回路と前記補助回路との間に配置されている、
ことを特徴とする請求項１乃至１２のいずれか１項に記載の撮像装置。
【請求項１９】
前記複数の補助駆動回路の各々は、前記対応する第２制御線に供給される前記制御信号、および、前記第２信号を受信し、前記対応する制御線群の前記第１制御線を駆動するための信号を発生する論理ゲートを含む、
ことを特徴とする請求項１乃至１２のいずれか１項に記載の撮像装置。
【請求項２０】
前記行駆動回路は、前記複数の画素から画素を選択するように構成され、
前記撮像装置は、前記行駆動回路によって選択された画素から信号を読み出すように構成された読出回路を更に備える、
ことを特徴とする請求項１３乃至１７のいずれか１項に記載の撮像装置。
【請求項２１】
複数の行および複数の列を構成するように配列された複数の画素と、
前記複数の行の１つに対して１つの制御線群が接続されるように、前記複数の行にそれぞれ割り当てられた複数の制御線群と、
前記複数の制御線群を駆動する行駆動回路と、
補助回路と、を備え、
前記複数の制御線群の各々は、第１制御線および第２制御線を含み、
前記行駆動回路は、前記第１制御線の一端に接続された第１駆動回路と、前記第２制御線の一端に接続された第２駆動回路と、を含み、
前記補助回路は、複数の補助駆動回路を含み、前記複数の補助駆動回路の各々は、前記複数の制御線群のうち対応する制御線群の前記第１制御線の他端に接続され、
前記複数の補助駆動回路の各々は、前記対応する第２制御線に供給される制御信号に従って、前記対応する第１制御線を駆動し、
前記複数の画素は、前記第１駆動回路および前記第２駆動回路を含む行駆動回路と前記補助回路との間に配置されている、
ことを特徴とする撮像装置。
【請求項２２】
請求項１乃至２１のいずれか１項に記載の撮像装置と、
前記撮像装置から出力される信号を処理する集積回路と、
を備えることを特徴とする移動体。